(57)【要約】【課題】複数の出入口を備えるかごが昇降するエレベータであって、乗り場ホールにおいて、前記かごに乗り込む前に、かごが目的階に着床したときに開く出入口を予め登録しておくことができるエレベータを提供する。【解決手段】複数の出入口を備えるかごと、昇降路に通じる建屋の各階の乗り場ホールの乗降口とを備え、乗り場ホールの少なくとも一つが、かごの複数の出入口と対向可能な乗降口を有する形式のエレベータにおいて、各階の乗り場ホールには乗り場操作盤１０，２０，３０が設けられ、これら乗り場操作盤１０，２０，３０には昇降路の断面とその昇降路に通じる乗り場ホールの乗降口の形態とを模した昇降路パターン１２が描かれ、この昇降路パターン１２には、乗り場操作盤が設けられる当該階を除く他の階の各乗降口に対応する部分に、かごの行先の目的階を登録しかつその目的階にかごが着床したときに開く出入口の登録を行なうための操作ボタン１８ａ…が設けられている。【選択図】    図２
2007308218.tif 000002
【特許請求の範囲】
【請求項１】
二方向に貫通する第１及び第２の複数の出入口を備えるかごと、このかごが昇降する建屋の昇降路と、この昇降路に通じる建屋の各階の乗り場ホールの乗降口とを備え、前記乗り場ホールの少なくとも一つが、前記かごの第１及び第２の出入口と対向可能な第１及び第２の乗降口を有する形式のエレベータにおいて、
前記各階の乗り場ホールには乗り場操作盤が設けられ、これら乗り場操作盤はフェースプレートを備え、このフェースプレートには前記昇降路の断面とその昇降路に通じる前記各乗り場ホールの乗降口の形態とを模した昇降路パターンが描かれ、この昇降路パターンには、乗り場操作盤が設けられる当該階を除く他の階の各乗降口に対応する部分に、かごの行先の目的階を登録しかつその目的階にかごが着床したときに開く出入口を登録するための操作ボタンが設けられていることを特徴とするエレベータ。
【請求項２】
前記乗り場操作盤のフェースプレートに描かれた昇降路パターンには、昇降移動するかごの位置を表示するかご位置表示灯及びかごの移動の向きを表示する方向灯が設けられていることを特徴とする請求項１に記載のエレベータ。
【請求項３】
前記乗り場操作盤のフェースプレートに描かれた昇降路パターンには、昇降移動するかごの位置を表示するかご位置表示灯及びそのかごに乗客が乗っているか否かを表示する乗客表示灯が設けられていることを特徴とする請求項１に記載のエレベータ。
【請求項４】
前記乗り場操作盤のフェースプレートに描かれた昇降路パターンには、昇降移動するかごの位置を表示するかご位置表示灯及び乗り場操作盤が設けられる当該階を除く他の階の乗り場ホールに乗客が待っているか否かを表示する待ち客表示灯が設けられていることを特徴とする請求項１に記載のエレベータ。
【発明の詳細な説明】
【技術分野】
【０００１】
この発明は、建屋の昇降路内を昇降移動するかごを備え、各階の乗り場ホールにそのかごに乗り込む乗客が操作するための乗り場操作盤が設けられているエレベータに関する。
【背景技術】
【０００２】
エレベータのかごに乗り込むための各階の乗り場ホールには、例えば特開２００５−２６３３７８に見られるように、かご呼び登録用の乗り場操作盤が設けられ、またかごの内部に行先の目的階を登録するためのかご内操作盤が設けられている。そしてエレベータを利用する乗客が乗り場ホールでかご呼び登録用の乗り場操作盤を操作してかご呼びの登録を行ない、かごに乗り込んだ後にかご内操作盤を操作して行先の目的階を登録するようになっている。
【０００３】
ところで、従来一般のエレベータにおいては、昇降路内を昇降するかごの一側面すなわち正面側に出入口が設けられ、この出入口にドア装置が設置され、かごが目的階に着床したときにドア装置が動作して出入口が開き、かご内の乗客がその出入口から乗り場ホールに降りるようになっている。
【０００４】
これに対し、近年では、かごの二側面、例えば正面側と背面側との二方向にそれぞれ出入口が設けられ、その出入口を通って乗客が二方向に降りることが可能な二方向貫通タイプのエレベータが提供されるようになってきている。
【０００５】
このようなタイプのエレベータにおいては、かご内にはその正面用の操作盤と背面用の操作盤とが区別して設けられ、各操作盤にそれぞれ目的階を登録するための操作ボタンが設けられている。かごに乗った乗客がかごの正面側から降りたいときには正面用の操作盤の操作ボタンを操作して目的階を登録し、かごの背面側から降りたいときには背面用の操作盤の操作ボタンを操作して目的階を登録する。
【０００６】
このような登録により、かごが目的階に到着して着床したときに、その登録に応じてかごの正面側の出入口あるいは背面側の出入口が開き、その開いた出入口を通って目的の方向の乗り場ホールに降りることができるようになっている。
【０００７】
【特許文献１】特開２００５−２６３３７８
【発明の開示】
【発明が解決しようとする課題】
【０００８】
しかしながら、このような二方向貫通タイプのエレベータであっても、乗り場ホールの操作盤にはただ単にかご呼び登録用の操作ボタンが設けられているに過ぎない。このため、乗り場ホールで操作ボタンを操作してかご呼びの登録をし、かごが到着し、かごに乗り込んでかご内の操作盤を操作して目的階の登録を行なうときに、乗客はそのかご内の正面用か背面用かのいずれかの操作盤を選択することになる。使い慣れているエレベータであれば、かご内に乗ってすぐに必要な操作盤を選択することができるが、使い慣れていないエレベータや初めて利用するエレベータの場合では、かご内に乗った乗客はかご内の正面側から降りればよいのか、背面側から降りればよいのかを直ちに判断できず、戸惑ってしまうことになる。
【０００９】
もし、乗り場ホールにおいて、かごに乗り込む前に、乗客がかごの正面側から降りるか背面側から降りるかを予め登録しておくことができれば、乗り込んだかごが目的階に着床したときに開く出入口からそのまま降りればよく、戸惑いもなく、利便性よくエレベータを利用することができる。
【００１０】
そこで、この発明は、乗り場ホールにおいて、かごに乗り込む前に、乗客がかごの二方向の例えば正面側から降りるか背面側から降りるかを予め判断して登録しておくことができる利便性のよいエレベータを提供することを目的とする。
【課題を解決するための手段】
【００１１】
請求項１の発明は、二方向に貫通する第１及び第２の複数の出入口を備えるかごと、このかごが昇降する建屋の昇降路と、この昇降路に通じる建屋の各階の乗り場ホールの乗降口とを備え、前記乗り場ホールの少なくとも一つが、前記かごの第１及び第２の出入口と対向可能な第１及び第２の乗降口を有する形式のエレベータにおいて、前記各階の乗り場ホールには乗り場操作盤が設けられ、これら乗り場操作盤はフェースプレートを備え、このフェースプレートには前記昇降路の断面とその昇降路に通じる前記各乗り場ホールの乗降口の形態とを模した昇降路パターンが描かれ、この昇降路パターンには、乗り場操作盤が設けられる当該階を除く他の階の各乗降口に対応する部分に、かごの行先の目的階を登録しかつその目的階にかごが着床したときに開く出入口を登録するための操作ボタンが設けられていることを特徴としている。
【００１２】
請求項２の発明は、前記乗り場操作盤のフェースプレートに描かれた昇降路パターンに、昇降移動するかごの位置を表示するかご位置表示灯及びかごの移動の向きを表示する方向灯が設けられていることを特徴としている。
【００１３】
請求項３の発明は、前記乗り場操作盤のフェースプレートに描かれた昇降路パターンに、昇降移動するかごの位置を表示するかご位置表示灯及びそのかごに乗客が乗っているか否かを表示する乗客表示灯が設けられていることを特徴としている。
【００１４】
請求項４の発明は、前記乗り場操作盤のフェースプレートに描かれた昇降路パターンに、昇降移動するかごの位置を表示するかご位置表示灯及び乗り場操作盤が設けられる当該階を除く他の階の乗り場ホールに乗客が待っているか否かを表示する待ち客表示灯が設けられていることを特徴としている。
【発明の効果】
【００１５】
この発明によれば、二方向貫通タイプのかごが用いられたエレベータの乗り場ホールにおいて、かごに乗り込む前に、乗り場操作盤を操作して乗客がかごの一方向の出入口から降りるか他方向の出入口から降りるかを予め登録しておくことができ、したがってかごに乗ってから戸惑いなく所望の向きの出入口から降りることができ、利便性が向上する。
【発明を実施するための最良の形態】
【００１６】
以下、この発明の実施の形態について図面を参照して説明する。
【００１７】
図１には二方向貫通タイプのエレベータの構成を概略的に示してあり、１は建屋に設けられた昇降路で、この昇降路１内にかご２が吊り下げられ、このかご２が巻上機（図示せず）により駆動されて上下に昇降する。そして、かご２の二方向、例えば正面側と背面側とにそれぞれ出入口２ａ，２ｂが設けられ、これら出入口２ａ，２ｂがそれぞれドア装置（図示せず）を介して開閉されるようになっている。
【００１８】
建屋は例えば３階構造となっており、その最上階の３階及び中間階の２階のエレベータ乗り場ホールには、昇降路１を隔てて互いに反対側に配置する正面側乗降口５ａ，６ａと背面側乗降口５ｂ，６ｂとが設けられている。これら正面側乗降口５ａ，６ａ及び背面側乗降口５ｂ，６ｂは、それぞれ昇降路１に通じ、かご２の昇降に応じて正面側乗降口５ａ，６ａがかご２の正面側の出入口２ａに対向し、背面側乗降口５ｂ，６ｂがかご２の背面側の出入口２ｂに対向するようになっている。建屋の１階の乗り場ホールには、昇降路１に通じてかご２の正面側の出入口２ａに対向可能な一つの乗降口７ａが設けられている。
【００１９】
１階の乗り場ホールには、１階用乗り場操作盤１０が設けられ、この乗り場操作盤１０は図２（Ａ）に示すように、フェースプレート１１を有し、このフェースプレート１１の表面に前記各階の乗降口５ａ，６ａ，５ｂ，６ｂ，７ａを含む前記昇降路１の断面構造を模式的に示す昇降路パターン１２が描かれている。すなわちこの昇降路パターン１２には、建屋の昇降路１に対応する昇降路部１３と、各階の乗降口５ａ，６ａ，５ｂ，６ｂ，７ａに対応する乗降口部１５ａ，１６ａ，１５ｂ，１６ｂ，１７ａとが描かれている。
【００２０】
そして、この１階用の乗り場操作盤に１０においては、昇降路パターン１２の３階及び２階の乗降口部１５ａ，１５ｂ，１６ａ，１６ｂにそれぞれ操作ボタン１８ａ，１８ｂ，１９ａ，１９ｂが設けられている。これら操作ボタン１８ａ，１８ｂ，１９ａ，１９ｂは、１階にかご２を呼ぶかご呼び登録用であるとともに、そのかご２の行先の目的階を登録し、かつそのかご２が目的階に到達して着床した際に開く出入口２ａ，２ｂを登録するためのものである。
【００２１】
すなわち、１階の乗り場ホールにおいて、乗り場操作盤１０の３階正面用の操作ボタン１８ａを操作して登録すると、１階にかご２が移動してきて着床し、そのかご２に乗客が乗り込み、かご２が３階に移動して着床した際にかご２の正面側の出入口２ａが開く。また、３階背面用の操作ボタン１８ｂを操作して登録すると、１階にかご２が移動してきて着床し、そのかご２に乗客が乗り込み、かご２が３階に移動して着床した際にかご２の背面側の出入口２ｂが開く。
【００２２】
乗り場操作盤１０の２階正面用の操作ボタン１９ａを操作して登録したときには、１階にかご２が移動してきて着床し、そのかご２に乗客が乗り込み、かご２が２階に移動して着床した際にかご２の正面の出入口２ａが開き、また２階背面用の操作ボタン１９ｂを操作したときには、１階にかご２が移動してきて着床し、そのかご２に乗客が乗り込み、かご２が２階に移動して着床した際にかご２の背面の出入口２ｂが開くようになっている。
【００２３】
図１に示すように２階の乗り場ホールには、２階用の乗り場操作盤２０が設けられ、この乗り場操作盤２０においても、図２（Ｂ）に示すようにフェースプレート１１を有し、このフェースプレート１１の表面に前記各階の乗降口５ａ，６ａ，５ｂ，６ｂ，７ａを含む前記昇降路１の断面構造を模式的に示す昇降路パターン１２が描かれている。すなわち、建屋の昇降路１に対応する昇降路部１３と、各階の乗降口５ａ，６ａ，５ｂ，６ｂ，７ａに対応する乗降口部１５ａ，１６ａ，１５ｂ，１６ｂ，１７ａとが描かれている。
【００２４】
そして、この２階用の乗り場操作盤に２０においては、昇降路パターン１２の３階及び１階の乗降口部１５ａ，１５ｂ，１７ａにそれぞれ操作ボタン２１ａ，２１ｂ，２２ａが設けられている。これら操作ボタン２１ａ，２１ｂ，２２ａは、２階にかご２を呼ぶかご呼び登録用であるとともに、そのかご２の行先の目的階を登録し、かつそのかご２が目的階に到達して着床した際に開く出入口２ａ，２ｂを登録するためのものである。
【００２５】
すなわち、２階の乗り場ホールにおいて、乗り場操作盤２０の３階正面用の操作ボタン２１ａを操作すると、２階にかご２が移動してきて着床し、そのかご２に乗客が乗り込み、かご２が３階に移動して着床した際にかご２の正面の出入口２ａが開く。また、３階背面用の操作ボタン２１ｂを操作すると、２階にかご２が移動してきて着床し、そのかご２に乗客が乗り込み、かご２が３階に移動して着床した際にかご２の背面の出入口２ｂが開く。
【００２６】
乗り場操作盤２０の１階の操作ボタン２２ａを操作したときには、２階にかご２が移動してきて着床し、そのかご２に乗客が乗り込み、かご２が１階に移動して着床した際にかご２の正面の出入口２ａが開くようになっている。
【００２７】
図１に示すように３階の乗り場ホールには、３階用乗り場操作盤３０が設けられ、この乗り場操作盤３０においても、図２（Ｃ）に示すように、フェースプレート１１を有し、このフェースプレート１１の表面に前記各階の乗降口５ａ，６ａ，５ｂ，６ｂ，７ａを含む前記昇降路１の断面構造を模式的に示す昇降路パターン１２が描かれている。すなわち、建屋の昇降路１に対応する昇降路部１３と、各階の乗降口５ａ，６ａ，５ｂ，６ｂ，７ａに対応する乗降口部１５ａ，１６ａ，１５ｂ，１６ｂ，１７ａとが描かれている。
【００２８】
そして、この３階用乗り場操作盤に３０においては、昇降路パターン１２の２階及び１階の乗降口部１６ａ，１６ｂ，１７ａにそれぞれ操作ボタン３１ａ，３１ｂ，３２ａが設けられている。これら操作ボタン３１ａ，３１ｂ，３２ａは、３階にかご２を呼ぶかご呼び登録用であるとともに、そのかご２の行先の目的階を登録し、かつそのかご２が目的階に到達して着床した際に開く出入口２ａ，２ｂを登録するためのものである。
【００２９】
すなわち、３階の乗り場ホールにおいて、乗り場操作盤３０の２階正面用の操作ボタン３１ａを操作すると、３階にかご２が移動してきて着床し、そのかご２に乗客が乗り込み、かご２が２階に移動して着床した際にかご２の正面の出入口２ａが開く。また、２階背面用の操作ボタン３１ｂを操作すると、３階にかご２が移動してきて着床し、そのかご２に乗客が乗り込み、かご２が２階に移動して着床した際にかご２の背面の出入口２ｂが開く。
【００３０】
乗り場操作盤３０の１階の操作ボタン３２ａを操作したときには、３階にかご２が移動してきて着床し、そのかご２に乗客が乗り込み、かご２が１階に移動して着床した際にかご２の正面の出入口２ａが開くようになっている。
【００３１】
なお、前記各操作ボタン１８ａ，１８ｂ，１９ａ，１９ｂ，２１ａ，２１ｂ，２２ａ，３１ａ，３１ｂ，３２ａの操作に応じるかご２や出入口２ａ，２ｂのドア装置の動作は、このエレベータの運行を管理する制御装置（図示せず）により制御される。
【００３２】
このような構成によれば、例えば乗客が１階の乗り場ホールから３階の正面側乗り場ホールに行きたいときには、図２（Ａ）に示す乗り場操作盤１０の３階正面用の操作ボタン１８ａを操作すればよい。この操作によりかご２が１階に着床して乗客がかご２に乗り込んだ後に、そのかご２が１階から３階に移動し、その３階においてかご２の正面側の出入口２ａが開き、３階の正面側乗り場ホールに降りることができる。
【００３３】
また、１階の乗り場ホールから３階の背面側乗り場ホールに行きたいときには、乗り場操作盤１０の３階背面用の操作ボタン１８ｂを操作すればよい。この操作によりかご２が１階に着床して乗客がかご２に乗り込んだ後に、そのかご２が１階から３階に移動し、その３階においてかご２の背面側の出入口２ｂが開き、３階の背面側乗り場ホールに降りることができる。
【００３４】
同様に、１階の乗り場ホールから２階の正面側乗り場ホールに行きたいときには、２階正面用の操作ボタン１９ａを操作すれば、かご２が１階に着床して乗客がかご２に乗り込んだ後に、そのかご２が１階から２階に移動して着床し、正面側の出入口２ａが開き、２階の正面側乗り場ホールに降りることができ、また２階背面用の操作ボタン１９ｂを操作すれば、かご２が１階に着床して乗客がかご２に乗り込んだ後に、そのかご２が１階から２階に移動して着床し、背面側の出入口２ｂが開き、２階の背面側乗り場ホールに降りることができる。
【００３５】
乗客が２階の乗り場ホールから３階の正面側乗り場ホールに行きたいときには、図２（Ｂ）に示す乗り場操作盤２０の３階正面用の操作ボタン２１ａを操作すれば、かご２が２階に着床して乗客がかご２に乗り込んだ後に、そのかご２が２階から３階に移動し、その３階においてかご２の正面側の出入口２ａが開き、３階の正面側乗り場ホールに降りることができ、また、２階の乗り場ホールから３階の背面側乗り場ホールに行きたいときには、乗り場操作盤２０の３階背面用の操作ボタン２１ｂを操作すれば、かご２が２階に着床して乗客がかご２に乗り込んだ後に、そのかご２が２階から３階に移動し、その３階においてかご２の背面側の出入口２ｂが開き、３階の背面側乗り場ホールに降りることができる。
【００３６】
２階の乗り場ホールから１階の乗り場ホールに行きたいときには、１階用の操作ボタン２２ａを操作すれば、かご２が２階に着床して乗客がかご２に乗り込んだ後に、そのかご２が２階から１階に移動して着床し、正面側の出入口２ａが開き、１階の乗り場ホールに降りることができる。
【００３７】
乗客が３階の乗り場ホールから２階の正面側乗り場ホールに行きたいときには、乗り場操作盤３０の２階正面用の操作ボタン３１ａを操作すれば、かご２が３階に着床して乗客がかご２に乗り込んだ後に、そのかご２が３階から２階に移動し、その２階においてかご２の正面側の出入口２ａが開き、２階の正面側乗り場ホールに降りることができ、また３階の乗り場ホールから２階の背面側乗り場ホールに行きたいときには、乗り場操作盤３０の２階背面用の操作ボタン３１ｂを操作すれば、かご２が３階に着床して乗客がかご２に乗り込んだ後に、そのかご２が３階から２階に移動し、その２階においてかご２の背面側の出入口２ｂが開き、２階の背面側乗り場ホールに降りることができる。
【００３８】
３階の乗り場ホールから１階の乗り場ホールに行きたいときには、１階用の操作ボタン３２ａを操作すれば、かご２が３階に着床して乗客がかご２に乗り込んだ後に、そのかご２が３階から１階に移動して着床し、正面側の出入口２ａが開き、１階の乗り場ホールに降りることができる。
【００３９】
このように、エレベータを利用する乗客は、その各乗り場ホールにおいて、かご２に乗り込む前に、予めその乗り場ホールに設けられている乗り場操作盤１０，２０，３０の所定の操作ボタンを操作すれば、かご呼びの登録と併せて、行先階の登録と、その行先階にかご２が到着したときに開くかご２の出入口２ａ，２ｂを登録することができ、したがってかご２に乗り込んだ後に、行先の目的階を登録する煩わしい手間を省くことができるとともに、出入口２ａ，２ｂの選択に戸惑うこともなく、快適にエレベータを利用して所望の階の所望の乗り場ホールに降りることができる。
【００４０】
図３には第２の実施形態を示してあり、この実施形態では、各階の乗り場ホールに設けられる乗り場操作盤１０，２０，３０のフェースプレート１１に描かれている昇降路部１３内にその昇降路部１３に沿って複数のかご位置表示灯４０ａ，４０ｂ，４０ｃが設けられている。これらかご位置表示灯４０ａ，４０ｂ，４０ｃは、実際のかご２の外観形状を模したパターンで表されている。また、これらかご位置表示灯４０ａ，４０ｂ，４０ｃの相互間部には、それぞれかご２の移動の向きを表す矢印形状の方向灯４１ａ，４１ｂ，４２ａ，４２ｂが設けられている。
【００４１】
そしてかご２の昇降移動に応じてかご位置表示灯４０ａ，４０ｂ，４０ｃが順次点灯してかご２の位置を表示するようになっている。すなわち、例えば実際のかご２が３階に位置しているときには、昇降路パターン１２の３階の位置に対応して設けられたかご位置表示灯４０ａが点灯し、この状態からかご２が３階から２階に向かって下降して２階に達したときには、前記かご位置表示灯４０ａが消灯し、昇降路パターン１２の２階の位置に対応して設けられたかご位置表示灯４０ｂが点灯し、さらにかご２が１階に向かって下降して１階に達したときには、前記かご位置表示灯４０ｂが消灯し、昇降路パターン１２の１階の位置に対応して設けられたかご位置表示灯４０ｃが点灯する。そして、かご２が３階から２階に下降するときには、かご位置表示灯４０ａと４０ｂとの間の下向きの方向灯４１ｂが点灯し、かご２が２階から１階に下降するときには、かご位置表示灯４０ｂと４０ｃとの間の下向きの方向灯４２ｂが点灯してその移動の向きが表示される。
【００４２】
また、実際のかご２が１階に位置しているときには、昇降路パターン１２の１階の位置に対応するかご位置表示灯４０ｃが点灯し、この状態からかご２が１階から２階に向かって上昇して２階に達したときには、前記かご位置表示灯４０ｃが消灯し、昇降路パターン１２の２階の位置に対応するかご位置表示灯４０ｂが点灯し、さらにかご２が３階に向かって上昇して３階に達したときには、前記かご位置表示灯４０ｂが消灯し、昇降路パターン１２の３階の位置に対応するかご位置表示灯４０ａが点灯する。そして、かご２が１階から２階に上昇するときには、かご位置表示灯４０ｃと４０ｂとの間の上向きの方向灯４２ａが点灯し、かご２が２階から３階に上昇するときには、かご位置表示灯４０ｂと４０ａとの間の上向きの方向灯４１ａが点灯してその移動の向きが表示される。
【００４３】
したがって、この実施形態では、エレベータを利用する乗客が第１の実施形態の場合と同様に、各乗り場ホールにおいて乗り場操作盤１０，２０，３０を操作してかご２の呼び操作を行なった際に、かご位置表示灯４０ａ，４０ｂ，４０ｃ及び方向灯４１ａ，４１ｂ，４２ａ，４２ｂを見ることにより、かご２がどの階からどの方向に移動して当該の乗り場ホールに向かっているかを一目で認識でき、より快適にエレベータを利用することができる。
【００４４】
図４には第３の実施形態を示してあり、この実施形態では、前記第２の実施形態に加え、各かご位置表示灯４０ａ，４０ｂ，４０ｃに乗客表示灯４５が設けられている。この乗客表示灯４５はかご２に乗客が乗っているときに点灯し、乗客がかご２から降りると消灯するようになっており、人の体形を模したパターンで表わされている。
【００４５】
この実施形態の場合には、エレベータを利用する乗客が各乗り場ホールにおいて乗り場操作盤１０，２０，３０を操作してかご２を呼ぶと、かご２の移動状況がかご位置表示灯４０ａ，４０ｂ，４０ｃにより表示されると共に、そのかご２に乗客が乗っているか否かが乗客表示灯４５により表示される。このため、かご２が当該乗り場ホールに着床したときにそのかご２から乗客が降りてくる可能性があることを予め知ることができ、したがってかご２の着床時にその乗客の降り口を妨げないように準備をすることができ、これによりエレベータを円滑に利用することができるようになる。なお、かご２内の乗客の有無は例えば人感センサなどを用いて検出される。
【００４６】
図５には第４の実施形態を示してあり、この実施形態では、前記第３の実施形態に加え、各階の乗り場操作盤１０，２０，３０の昇降路パターン１２に、建屋の各階の乗り場ホールに乗客が待っているか否かを表示する待ち客表示灯４８が、当該階の昇降路パターン１２の乗降口部を除く、他の乗降口部１５ａ，１６ａ，１５ｂ，１６ｂ，１７ａに設けられている。これら待ち客表示灯４８は人の体形を模したパターンで表されている。
【００４７】
この実施形態の場合には、エレベータを利用する乗客が各乗り場ホールにおいて乗り場操作盤１０，２０，３０を操作してかご２を呼ぶと、かご２の移動状況がかご位置表示灯４０ａ，４０ｂ，４０ｃにより表示されると共に、そのかご２に乗客が乗っているか否かが乗客表示灯４５により表示される。そしてさらに、乗り場ホールにかご２を待つ乗客がいるときには、その階における待ち客表示灯４８が点灯し、その点灯でどの階にかご２を待つ乗客がいるかを知ることができる。したがってその階でかご２が停止することを予め知ることができる。なお、各階の待ち客の有無は例えば人感センサなどを用いて検出される。
【００４８】
以上の説明では、かごの正面側と背面側との二方向に出入口を備える形成の場合について述べたが、例えばかごの正面側と、これとは直交する左右の側面側との二方向に出入口を備えるかごの場合であってもよい。
【図面の簡単な説明】
【００４９】
【図１】この発明の第１の実施形態に係るエレベータの概略的な構成を示す構成図。
【図２】そのエレベータの各階の乗り場操作盤を示す正面図。
【図３】この発明の第２の実施形態に係るエレベータの各階の乗り場操作盤を示す正面図。
【図４】この発明の第３の実施形態に係るエレベータの各階の乗り場操作盤を示す正面図。
【図５】この発明の第４の実施形態に係るエレベータの各階の乗り場操作盤を示す正面図。
【符号の説明】
【００５０】
１…昇降路
２…かご
２ａ．２ｂ…出入口
５ａ．６ａ…正面側乗降口
５ｂ．６ｂ…背面側乗降口
７ａ…乗降口
１０…１階用乗り場操作盤
１１…フェースプレート
１２…昇降路パターン
１３…昇降路部
１５ａ．１５ｂ．１６ａ．１６ｂ．１７ａ…乗降口部
１８ａ．１８ｂ．１９ａ．１９ｂ…操作ボタン
２０…２階用乗り場操作盤
２１ａ．２１ｂ．２２ａ…操作ボタン
３０…３階用乗り場操作盤
３１ａ．３１ｂ．３２ａ…操作ボタン
４０ａ．４０ｂ．４０ｃ…かご位置表示灯
４１ａ．４１ｂ．４２ａ．４２ｂ…方向灯
４５…乗客表示灯
４８…待ち客表示灯
【図１】
2007308218.tif 000003
【図２】
2007308218.tif 000004
【図３】
2007308218.tif 000005
【図４】
2007308218.tif 000006
【図５】
2007308218.tif 000007